(57)【特許請求の範囲】
【請求項１】
器具本体の下部前方に形成された蹴込み部に設ける蹴込みカバーの取付け位置調節装置であって、
該蹴込みカバーが先端に連結自在であり、器具本体から前方に向かって水平方向に延びる略角柱状の支持部材と、
該支持部材を前記器具本体の底板に連結する連結部とを備えてなり、
前記支持部材は、その長手方向に所定間隔を存して形成された複数の係合部を備え、
各係合部は、該支持部材の周壁の両側に軸線に直交する方向に互いに平行に延びる一対の突起により構成され、
前記連結部は、前記支持部材を着脱自在に保持する保持部と、前記支持部材の何れかの係合部を選択的に係合することにより、該支持部材の器具本体前方への突出量を調節する被係合部とを備え、
該被係合部は、両突起に対応する一対の溝部を備えて前記支持部材を上方から係脱自在とし、
前記保持部は、前記支持部材の両側に底板上に立設された一対の弾性立設部と、両弾性立設部の内側に突設されて該弾性立設部により弾性が付与され、前記支持部材の上端角部をその両側から掛止して該支持部材の脱落を解除自在に規制する一対の掛止爪とを備えることを特徴とする蹴込みカバーの取付け位置調節装置。
【請求項２】
各係合部には、前記被係合部との係合時に、蹴込みカバーの取付け位置の目安となる表示が施されていることを特徴とする請求項１記載の蹴込みカバーの取付け位置調節装置。
【発明の詳細な説明】
【０００１】
【発明の属する技術分野】
本発明は、蹴込みカバーの取付け位置調節装置に関し、例えば、システムキッチンに組み込まれる食器洗浄機やフロアキャビネット等の器具本体の下方に形成される蹴込み部に蹴込みカバーを設ける際に、蹴込みカバーの取付け位置を調節自在に支持する装置に関する。
【０００２】
【従来の技術】
一般に、システムキッチンに組み込まれる食器洗浄機やフロアキャビネットといった各器具の下部には蹴込み部が形成されており、該蹴込み部は各器具毎に蹴込みカバーによって被覆されている。そして、システムキッチンの外観を統一するために、各器具の蹴込みカバーの位置は略同一の位置に配設されることが好ましい。そのため、各蹴込みカバーは、前記蹴込み部における取付け位置が調節可能なように各器具に連結され、各器具がシステムキッチンに組み込まれた後に、夫々の器具に取付けた各蹴込みカバーが所望の位置に調節される。
【０００３】
従来、蹴込みカバーは、特開平１１−２０６６７０号公報に見られるように、器具の底板の前方端部に螺着された進退調節ボルトの前方側の先端部（ボルトの頭部）に軸方向にビス止めされることが知られている。進退調節ボルトは、器具本体の下部前面側に形成された螺子孔に螺合され、その頭部を回転させることにより進退寸法が調節できるようになっている。
【０００４】
しかし、蹴込みカバーの取付け位置を設定するとき、比較的長い寸法に亘る調節を行なう場合には、進退調節ボルトを数十回転させなければならず、その調節作業が極めて煩わしい不都合がある。
【０００５】
また、進退調節ボルトの器具前方への突出寸法は、一見しただけでは正確に確認することは難しく、蹴込みカバーの取付け位置を正確に調節する場合には、進退調節ボルトの移動寸法を計測しながら該進退調節ボルトを回転させる必要があり、調節作業に手数がかかる不都合がある。
【０００６】
【発明が解決しようとする課題】
かかる不都合を解消して、本発明は、蹴込みカバーの取付け位置の調節及び取付け作業が迅速に行なえて作業性を向上させることができ、しかも、構造簡単な蹴込みカバーの取付け位置調節装置を提供することを目的とする。
【０００７】
【課題を解決するための手段】
かかる目的を達成するために、本発明は、器具本体の下部前方に形成された蹴込み部に設ける蹴込みカバーの取付け位置調節装置であって、該蹴込みカバーが先端に連結自在であり、器具本体から前方に向かって水平方向に延びる略角柱状の支持部材と、該支持部材を前記器具本体の底板に連結する連結部とを備えてなり、前記支持部材は、その長手方向に所定間隔を存して形成された複数の係合部を備え、各係合部は、該支持部材の周壁の両側に軸線に直交する方向に互いに平行に延びる一対の突起により構成され、前記連結部は、前記支持部材を着脱自在に保持する保持部と、前記支持部材の何れかの係合部を選択的に係合することにより、該支持部材の器具本体前方への突出量を調節する被係合部とを備え、該被係合部は、両突起に対応する一対の溝部を備えて前記支持部材を上方から係脱自在とし、前記保持部は、前記支持部材の両側に底板上に立設された一対の弾性立設部と、両弾性立設部の内側に突設されて該弾性立設部により弾性が付与され、前記支持部材の上端角部をその両側から掛止して該支持部材の脱落を解除自在に規制する一対の掛止爪とを備えることを特徴とする。
【０００８】
本発明によれば、前記蹴込みカバーを前記支持部材を介して前記連結部に連結するだけで、該蹴込みカバーを所望の位置に取付けることができる。即ち、前記支持部材には複数の係合部が所定間隔を存して形成されており、蹴込みカバーの所望の取付け位置に対応する係合部を前記連結部の保持部に設けられた被係合部に係合させる。これにより、前記保持部の被係合部と支持部材の係合部との係合位置に応じて該支持部材の突出量が調節され、該支持部材の先端に蹴込みカバーを連結すれば、該蹴込みカバーを所望の位置に取付けることができる。このように、蹴込みカバーを取付ける際に、支持部材の係合部を選択して前記連結部に取付けるだけで、正確且つ迅速に蹴込みカバーを取付けることができるので、従来のような調節ボルトを回転させる場合に比して、蹴込みカバーの取付け位置の調節作業を飛躍的に軽減することができる。
【０００９】
また、前記支持部材に設ける各係合部を複数の突起によって形成し、該突起に対応する被係合部を溝部とすることにより、構造を極めて簡単として、支持部材を上方から容易に係脱させることができ、且つ、該支持部材の水平方向への移動を不能とすることができる。しかも、前記係合部を前記突起とすることにより、器具の前方から進出している部分の突起の数を目安として、調節する蹴込みカバーの取付け位置を外観で確認することが容易に行え、調節ミスの発生を低減することができる。
【００１０】
また、本発明は、前記保持部が一対の弾性立設部と一対の掛止爪を備えるので、支持部材を連結部に取付ける際には、両掛止爪が弾発的に拡開して両掛止爪間に支持部材が受け入れられ、該支持部材の係合部を容易に前記被係合部に係合させることができる。
そして、該支持部材の係合部が前記被係合部に係合したときには、両掛止爪が該支持部材の両側から弾発的に掛止して該支持部材の脱落が防止され、連結部からの支持部材の不用意な外れが防止されて該支持部材の係合部と前記被係合部との係合状態を確実に維持することができる。
【００１１】
また、一旦取付けが完了した蹴込みカバーの位置を変更する場合にも、前記支持部材を保持部から取外して異なる位置の係合部を前記被係合部に係合させるだけでよく、蹴込みカバーの位置変更についてもその作業を極めて容易に行なうことができる。
【００１２】
また、各係合部には、前記被係合部との係合時に、蹴込みカバーの取付け位置の目安となる表示が施されていることを特徴とする。これにより、蹴込みカバーの取付け作業時に、目安となる表示を確認しつつ係合部を被係合部に係合させることができ、より正確な蹴込みカバーの取付け位置の調節作業を容易且つ迅速に行うことができる。
【００１５】
【発明の実施の形態】
本発明の一実施形態を図面に基づいて説明する。図１は本実施形態の蹴込みカバーの取付け位置調節装置を備える食器洗浄機の説明的側面図、図２は蹴込みカバーの取付け位置調節装置の説明的平面図、図３は蹴込みカバーの取付け位置調節装置の説明的側面図、図４は蹴込みカバーの取付け位置調節装置の説明的分解斜視図、図５は蹴込みカバーの他の連結構造を示す説明的斜視図である。
【００１６】
図１において、１はシステムキッチンのワークトップ、２は床、３はワークトップ１と床２との間に形成された設置空間に設置された食器洗浄機である。該食器洗浄機３の下部前方には蹴込み部４が形成されており、該蹴込み部４には蹴込みカバー５が設けられている。該蹴込みカバー５は、該食器洗浄機３の底板６の前端部の両側に設けられた一対（図示は一つ）の取付け位置調節装置７により支持されている。
【００１７】
次に、該取付け位置調節装置７の構成について説明する。図２及び図３に示すように、該取付け位置調節装置７は、略角柱状の支持部材８と、該支持部材８を前記食器洗浄機３の底板６上に連結する連結部９とによって構成されている。
【００１８】
前記支持部材８は、図４に示すように、その先端にビス用螺着孔１０が形成され、側壁に複数の係合部１１を備えている。ビス用螺着孔１０には、蹴込みカバー５に形成されたビス止め用貫通孔１２を介してビス１３が螺着され、これによって、支持部材８の先端に蹴込みカバー５が連結できるようになっている。
【００１９】
各係合部１１は、図４に示すように、支持部材８の対向側壁に縦方向に平行に延設された一対の凸条１１ａ，１１ｂによって構成されている。なお、該支持部材８の軸線方向に隣り合う各凸条１１ａ，１１ｂのピッチは５mmに設定されている。なお、該ピッチは本実施形態において採用したものであり、蹴込み部４の大きさ等に応じて適宜設定されるものである。
【００２０】
前記連結部９は、図４に示すように、前記係合部１１に対応する被係合部１４と、該被係合部１４に隣設された保持部１５とにより構成されている。被係合部１４と保持部１５とは共に合成樹脂により前記底板６と一体に形成されている。該底板６の前方端部は上方が開放されており、被係合部１４と保持部１５とは露出状態で設けられている。
【００２１】
前記被係合部１４は、図４に示すように、前記支持部材８の各係合部１１を構成する一対の凸条１１ａ，１１ｂに対応して、互いに対向する一対の溝部１４ａ，１４ｂによって構成されている。該溝部１４ａ，１４ｂは、図２に示すように、一対の凸条１１ａ，１１ｂに係合し、各係合部１１の位置に応じて支持部材８の前方への延出寸法が決定される。なお、本実施形態においては各係合部１１のピッチにより延出寸法を５mm単位で増減可能とされている。そして、両溝部１４ａ，１４ｂの上方端が開放されていることにより、両凸条１１ａ，１１ｂを両溝部１４ａ，１４ｂに合致させて支持部材８を下降させるだけで、両溝部１４ａ，１４ｂが両凸条１１ａ，１１ｂを案内して両者が確実に係合される。
【００２２】
前記保持部１５は、図４に示すように、前記底板６上に立設された一対の弾性立設部１６と、両弾性立設部１６の内側に突設された掛止爪１７とによって構成されている。弾性立設部１６は、底板６上から上方に延びて内側に逆Ｕ字状に折返され、これによって、良好な弾性が得られるような形状とされている。両掛止爪１７は、図２及び図３に示すように、支持部材８の上端角部をその両側から掛止して該支持部材８の不用意な外れを防止する。そして、両凸条１１ａ，１１ｂを両溝部１４ａ，１４ｂに合致させて支持部材８を下降させると、支持部材８によって両掛止爪１７が弾発的に拡開され、両凸条１１ａ，１１ｂが両溝部１４ａ，１４ｂに完全に係合されたときに、両掛止爪１７が弾発的に戻って該掛止爪１７により支持部材８が掛止される。
【００２３】
また、各掛止爪１７の上方の両弾性立設部１６の上端部（逆Ｕ字状の近傍）は押圧部１８とされており、支持部材８を連結部９から取り外すときには、両押圧部１８を手指で押し広げる方向に撓ませることにより、両掛止爪１７を容易に拡開させることができる。
【００２４】
以上の構成からなる取付け位置調節装置７により、前記蹴込み部４に蹴込みカバー５を設ける場合には、図４に示すように、先ず、蹴込みカバー５の取付け位置に対応する長さが底板６の前端から延出するように、前記支持部材８の係合部１１を選択する。次いで、選択した係合部１１の両凸条１１ａ，１１ｂを前記被係合部１４の両溝部１４ａ，１４ｂに合わせて、該支持部材８を押し下げる。これにより、該支持部材８は、図３に示すように、選択された係合部１１の両凸条１１ａ，１１ｂを介して連結部９に設けられた保持部１５の両溝部１４ａ，１４ｂに案内係合されると共に、前記支持部材８の前方への延出寸法の調節が完了し、前記掛止爪１７により支持部材８が掛止されて、該支持部材８が確実に底板６に連結される。
【００２５】
そして、図４に示すように、蹴込みカバー５の貫通孔１２を介して支持部材８の先端の螺着孔１０にビス１３を螺着し、図２及び３に示すように、支持部材８と蹴込みカバー５とを連結する。これにより、図１に示すように、蹴込み部４には蹴込みカバー５が設けられるが、このとき既に、前記支持部材８の蹴込み部４への延出寸法が調節されているので、蹴込みカバー５は前記支持部材８の延出寸法に応じた所望の位置に正確に支持される。
【００２６】
このように、蹴込みカバー５の取付け位置の調節は、支持部材８の前方への延出寸法に応じて選択された係合部１１に被係合部１４を係合させるだけでよく、蹴込みカバー５の取付け作業を極めて迅速に行なうことができる。
【００２７】
また、蹴込みカバー５の取付け位置を変更する場合には、前記掛止爪１７の上方に位置する両弾性立設部１６の押圧部１８（図２乃至図４参照）を外方に押し広げて簡単に支持部材８を連結部９から取り外すことができ、しかも、各係合部１１の凸条１１ａ，１１ｂを目視により確認しながら変更する係合部１１を選択することができるので、迅速に正確な蹴込みカバー５の取付け位置の変更を行なうことができる。
【００２８】
更に、蹴込みカバー５の取付け位置に対応する係合部１１の選択に際しては、例えば、図示しないが、各係合部１１の近傍に支持部材８の前方への延出寸法等を示す表示を施しておくことによって、該表示を確認して係合部１１の選択ミスを無くすことができる。
【００２９】
なお、本実施形態においては、前記被係合部１４の頂部が弾性立設部１６よりも低い位置に形成されているが、図示しないが、前記被係合部１４を更に上方に延出させて、弾性立設部１６よりも高い寸法としておくことにより、両弾性立設部１６の間に支持部材８が侵入するに先立って、両凸条１１ａ，１１ｂを両溝部１４ａ，１４ｂに合致させて位置決め状態で支持部材８を下降させることができ、作業を円滑に精度良く行なうことができる。
【００３０】
また、本実施形態においては、前記係合部１１を凸条１１ａ，１１ｂとし、被係合部１４を溝部１４ａ，１４ｂとしたが、これに限るものではなく、前記係合部１１と被係合部１４とは互いに対応して係合できる形状であればよい。
【００３１】
また、本実施形態においては、図２に示すように、前記支持部材８の先端にビス１３を介して蹴込みカバー５を連結した例を示したが、前記支持部材８と蹴込みカバー５との連結はこれに限るものではない。例えば、図５に示すように、前記支持部材８の先端部に前記係合部１１の凸条１１ａ，１１ｂと同形の突起１９を設け、該突起１９に掛止自在の略コ字形の掛止部２０を蹴込みカバー５の裏面側に一体に設けておいてもよい。これにより、支持部材８と蹴込みカバー５との連結は、蹴込みカバー５の掛止部２０を支持部材８の突起１９に掛止させるだけで完了し、図２示のビス１３（図４参照）の場合に比べて支持部材８への蹴込みカバー５の連結作業を飛躍的に軽減することができる。
【００３２】
更に、本実施形態においては、蹴込みカバーの取付け位置調節装置７を食器洗浄機３に採用した例を示したが、本発明の取付け位置調節装置７は、図示しないが、フロアキャビネットやその他蹴込み部が形成される家具類においても好適に採用することができることは言うまでもない。
【図面の簡単な説明】
【図１】本発明の一実施形態の蹴込みカバーの取付け位置調節装置を備える食器洗浄機の説明的側面図。
【図２】蹴込みカバーの取付け位置調節装置の説明的平面図。
【図３】蹴込みカバーの取付け位置調節装置の説明的側面図。
【図４】蹴込みカバーの取付け位置調節装置の説明的分解斜視図。
【図５】蹴込みカバーの他の連結構造を示す説明的斜視図。
【符号の説明】
３…食器洗浄機（器具）、４…蹴込み部、５…蹴込みカバー、７…蹴込みカバーの取付け位置調節装置、８…支持部材、９…連結部、１１…係合部、１１ａ，１１ｂ…凸条（突起）、１４…被係合部、１４ａ，１４ｂ…溝部、１５…保持部、１７…掛止爪。
【図１】
0003908427.tif 000002
【図２】
0003908427.tif 000003
【図３】
0003908427.tif 000004
【図４】
0003908427.tif 000005
【図５】
0003908427.tif 000006